(57)【要約】【課題】  木材を連結する開閉式の金物を、作業者が押さえなくともジグによって金物の閉状態を維持でき、ジグを金物に付けたまま木材を降ろしてそのスリットに金物を挿入できるようにすること。また、開状態をも維持できること。【解決手段】  平面視してコ字状の金物本体の対向する支持板に接続板を開閉可能に設け、金物本体に対して接続板が外側を向いた場合に開状態となり、全体がコ字状の場合に閉状態となって木材を連結する金物に対して使用するジグであって、閉状態になっている金物の左右の接続板の間に介在する仲介部と、各接続板を外側から押さえる一対の押さえ部と、仲介部と一対の押さえ部の根元側を繋ぐ連結部とから平面視してＥ字状に形成し、仲介部と両押さえ部の間に一対の接続板を挟んで金物の閉状態を保持する。開状態の金物の接続板に引っ掛けるフックを連結部の左右に有し、連結部の剛性を利用して金物の開状態を保持する。【選択図】      図１
2005127055.tif 000002
【特許請求の範囲】
【請求項１】
平面視してコ字状の金物本体（４）の対向する一対の支持板（３）に接続板（５）をそれぞれ開閉可能に設け、金物本体（４）に対して接続板（５）が外側を向いた場合に開状態となり、平面視して全体がコ字状の場合に閉状態となって木材（１１，１２）同士を連結する金物（１）に対して使用するジグ（Ｊ）であって、
閉状態になっている金物（１）の左右の接続板（５）の間に介在する仲介部（１８）と、各接続板（５）を外側から押さえる一対の押さえ部（２０）と、仲介部（１８）と一対の押さえ部（２０）の根元側を繋ぐ連結部（１９）とから平面視して「Ｅ」字状に形成し、仲介部（１８）と両押さえ部（２０）の間に一対の接続板（５）を挟んで金物（１）の閉状態を保持することを特徴とする金物用ジグ。
【請求項２】
開状態の金物（１）の接続板（５）に引っ掛けるフック（２３）を連結部（１９）の左右両側に有し、連結部（１９）の剛性を利用して金物（１）の開状態を保持することを特徴とする請求項１記載の金物用ジグ。
【発明の詳細な説明】
【技術分野】
【０００１】
本発明は木材を連結する開閉式の金物に使用するジグに関する。
【背景技術】
【０００２】
開閉式の金物は、背板の両側から短い一対の支持板を突出して金物本体を形成し、その支持板に接続板をそれぞれ開閉可能に取り付けたもので、平面視して全体がコ字状の場合に閉状態となり、金物本体に対して接続板が外側を向いた場合に開状態となるものである。開閉式の金物を木材に取り付けて移送する場合には、金物を開状態に、すなわち背板を木材に止めて接続板を木材に沿うように外向き状態にすれば、木材に対する金物の突出長さが大幅に短くなるので、開閉機能のない単なるコ字状の金物に比べて、運搬スペースを少なくでき、有利である。
【０００３】
一方、開閉式の金物で木材同士を連結する場合は大まかに言えば、以下の要領で使用する。まず、その背板側を木材に止めた後に、平面視して全体がコ字状の閉状態となるように作業者が金物の一対の接続板を手で押さえる。続いて、金物の上から横材を降ろして、金物の接続板を木材（横材）端面のスリットに挿入し、最後に、横材の側面からピンを打ち込んで横材を接続板にピン止めする。
【０００４】
ところが、上述した連結作業は通常、高所で行うので、作業者の足場が不安定であり、それにも関わらず手で金物を閉状態に押さえるのは危険度が高い。しかも、金物を閉状態に押さえている作業者は、木材のスリットに金物を挿入する際には手を挟む危険性もある。また、木材（例えば梁）の背が高い場合には金物を閉状態を保つ作業が厄介で、その閉状態に保つ作業と、金物に木材のスリットを合わせて落とし込む作業を一人の作業者ではできないこともあり、この場合、作業者が増えることに加え、両作業者のタイミングを合わせる必要もあったりして、作業スピードが著しく遅くなり、コスト高になる。
【発明の開示】
【発明が解決しようとする課題】
【０００５】
本発明は上記実情を考慮して創作されたもので、作業者が手で押さえなくともジグによって金物の閉状態を維持でき、しかも、そのジグを金物に取り付けたまま木材を降ろしてそのスリットに金物を挿入できるようにすることを解決課題とする。
【０００６】
また、金物が付いた木材を積み込む際に、木材が傾くと接続板が開閉状態を繰り返し、積み込み作業がし難いことがある。そこで、本発明者は、閉状態を維持できるだけでなく、開状態をも維持できるジグの開発にも着手した。
【課題を解決するための手段】
【０００７】
本発明のジグは、開閉式の金物、即ち、平面視してコ字状の金物本体の対向する一対の支持板に接続板をそれぞれ開閉可能に設け、金物本体に対して接続板が外側を向いた場合に開状態となり、平面視して全体がコ字状の場合に閉状態となって木材同士を連結する金物に対して使用するものである。
【０００８】
そして、請求項１の発明は、閉状態になっている金物の左右の接続板の間に介在する仲介部と、各接続板を外側から押さえる一対の押さえ部と、仲介部と一対の押さえ部の根元側を繋ぐ連結部とから平面視して「Ｅ」字状に形成し、仲介部と両押さえ部の間に一対の接続板を挟んで金物の閉状態を保持することを特徴とする。
【０００９】
請求項２の発明は、開状態の金物の接続板に引っ掛けるフックを連結部の左右両側に有し、連結部の剛性を利用して金物の開状態を保持することを特徴とする。フックは連結部に対して直接連続する構造であっても良いし、連結部から側方に延びるアームを介して間接的に連続する構造であっても良い。
【発明の効果】
【００１０】
請求項１の発明は金物を閉状態に保持しながらジグを差し込むことによって、仲介部と押さえ部との間に接続板を挟み込んで取り付けられるので、簡単な取付作業で金物の閉状態を保持できる。また、ジグは接続板を挟み込んであるだけなので、木材を降ろしてそのスリットに接続板を挿入する作業時に、ジグが木材に押されて金物から外れて落下するので、木材の接続作業が迅速且つ安全に行える。
【００１１】
請求項２の発明は二つのフックを別々の接続板に引っ掛けるだけで、金物の開状態を保持でき、その結果、移送作業が楽になる。また、一つのジグで金物の閉状態と開状態の双方を保持できるので、便利である。
【発明を実施するための最良の形態】
【００１２】
まず本発明のジグを使用する前提となる金物及び木材について説明する。金物１は図１から図３に示すように、背板２の両側から短い一対の支持板３，３を突出して金物本体４を形成し、各支持板３に接続板５を開閉可能に設けてある。ここでは、支持板３と接続板５を蝶番式に開閉可能に連結してある。そして、平面視して全体がコ字状、つまり、支持板３に対して接続板５が直線的に延長する状態の場合に閉状態となり、金物本体４に対して両方の接続板５，５が外側を向いた場合に開状態となる（図４参照）。
【００１３】
背板２は、幅を木材１１の横幅よりも短く形成し、ホゾ６を上下に間隔をあけて突出し、ホゾ６を木材の側面のホゾ穴７に嵌め込む。ホゾ６はカップ状で、その中央部にはボルトＢの軸を挿入する抜穴８があいており、カップ状の内部にボルトＢの頭部を収容する。
【００１４】
接続板５は、上辺と下辺にＵ字状の受け穴９をあけ、別のピンＰを通す挿入孔１０を複数あけてある。なお、上辺側の受け穴９にピンＰを引っ掛ける。
【００１５】
二本の木材１１、１２のうち金物１を先に止める方の主部材（ここでは縦材）１１は、ホゾ穴７から反対面に通じる抜穴１３をボルト止め用にあけてある。一方、金物１に対して後から止める方の従部材（ここでは横材）１２は、その端面の幅中央部に背板２の厚み分の凹部１４を設け、凹部１４の左右両側からスリット１５を木材長手方向に向かって形成し、スリット１５の奥側を接続板５の厚みに合わせて幅狭にし、スリット１５の入口側を蝶番の支点１６の厚みに合わせて幅広にしてある。また、従部材１２の側面には、上側のＵ字状の受け穴９に相当する箇所と、挿入孔１０に相当する箇所にピン差込孔１７を、スリット１５を経て反対面に貫通する状態で形成してある。
【００１６】
本発明の金物用ジグＪの第一例は図１に示すように閉状態の金物１の二枚の接続板５，５に対して差し込むものであって、二枚の接続板５，５の間に介在する仲介部１８を、連結部１９の横幅中央部から突出し、各接続板５を外側から押さえる押さえ部２０が連結部１９の左右両側から突出し、全体として平面視「Ｅ」字状に形成した薄板である。ちなみに、仲介部１８はその中側に四角形をなす上下方向の貫通穴２１をあけ、枠状に形成してあるので、このような場合は、平面視「Ｅ」字状というよりも、「巨」字状という方が適切かと思われる。但し「巨」字は「Ｅ」字の変形であるので、「Ｅ」字と言った場合には、このような変形形状も含まれるものとする。
【００１７】
また、ジグＪは弾性素材（例えば合成樹脂、バネ性のある金属板）で作られており、その弾性によって仲介部１８と押さえ部２０の間に接続板５を挟持し、その結果、金物１に取り付けられる。前述した仲介部１８の枠形状も、その弾性を強めるための役割を果たす。
【００１８】
上述したジグを利用して以下の要領で木材１１，１２同士を連結する。まず、金物１のホゾ６をホゾ穴７に入れて背板２を主部材１１にボルトＢ・ナットＮで止めることによって、主部材１１に金物１を取り付ける。次に、金物１を閉状態に保持しながら、ジグＪを二枚の接続板５，５に対して差し込み、仲介部１８と押さえ部２０の間に接続板５を挟持して、金物１にジグＪを取り付ける。その後に、従部材１２を金物１の上から降ろし、凹部１４及びスリット１５に金物１を挿入する。すると、従部材１２の底面でジグＪが下方に押し込まれて金物１からジグＪが外れ落ち、従部材１２に予め打ち込んであったピンＰが受け穴９に引っ掛かって、従部材１２が支えられる。最後に、従部材１２の側面からピン差込孔１７に別のピンＰを打ち込んで、接続板５に従部材１２を確実に固定する。なお、落ちたジグＪは、再利用できる。
【００１９】
本発明のジグＪの第二例は図４から図５に示すように、押さえ部２０と仲介部１８が下向きに延びる形態の連結部１９の左右にアーム２２を延長し、各アーム２２の先部には下向きに開口する鉤型のフック２３を有することを特徴とする。フック２３は、接続板５に対して単に引っ掛けるものよりも、接続板５を挟持するものの方が、移送時の揺れで外れたりズレたりしないので望ましい。
【００２０】
第二例のジグＪを使用する場合は、金物１を開状態に保持しながらジグＪを上から引き下ろして、フック２３に接続板５を引っ掛けることによって取り付ける。フック２３が接続板５を挟持することでジグＪの取り付け状態が安定すると共に、ジグＪの剛性によって金物１の開状態を維持する。そして、木材１１に金物１を付けたまま持ち運んだり移送するときに、金物１の開状態が維持されることから、移送時等の揺れに伴う金物１の開閉を妨げ、移送等がしやすくなる。開状態の金物１の背面にはジグＪの肉厚分のみ突出量が増えるので、ジグＪを取り付けても全体的にはコンパクトであり、移送時に嵩張らない。
【００２１】
また、図６に示すように金物１が付いた多数本の木材１１を間隔をあけて輸送車へ積み込んである場合に、移送時の揺れで隣の木材１１が金物１に向かって動いてぶつかることがあるが、木材１１はジグＪに当たるのであって金物１には当たらない。このときに、ジグＪが金属以外の弾力性素材（例えば合成樹脂）で作られていれば、弾性素材がクッションの役割を果たすことによって、木材１１が傷つくのを防止できる。ちなみに、ジグＪが金属で作られていても、金属のジグＪの背面側に柔軟性のあるシートを貼り付けたものであれば、そのシートが同様にクッションの役割を果たす。
【００２２】
なお、第二例のジグＪのフック２３は、図面では連結部１９に対してアーム２２を介して間接的に連続しているが、一対の押さえ部２０を幅広に形成すると共に、それに合わせて連結部１９を長く形成すれば、連結部１９に対してアーム２２を直接的に連続しても良い。
【図面の簡単な説明】
【００２３】
【図１】本発明の金物用ジグの第一例の使用状態を示す一部切欠斜視図である。
【図２】（イ）図から（ハ）図の順番で木材同士を連結する作業を示す平面図である。
【図３】（イ）図は金物にジグを取り付けた状態を示す側面図、（ロ）図はジグが外れる状態を示す側面図である。
【図４】（イ）図は本発明の金物用ジグの第二例の使用状態を示す平面図、（ロ）図は側面図である。
【図５】金物用ジグの第二例を示す斜視図である。
【図６】木材の移送状態を示す平面図である。
【符号の説明】
【００２４】
Ｊ  ジグ
１  金物
３  支持板
４  金物本体
５  接続板
１１  木材（主部材）
１２  木材（従部材）
１８  仲介部
１９  連結部
２０  押さえ部
２３  フック
【図１】
2005127055.tif 000003
【図２】
2005127055.tif 000004
【図３】
2005127055.tif 000005
【図４】
2005127055.tif 000006
【図５】
2005127055.tif 000007
【図６】
2005127055.tif 000008